(57)【要約】【課題】表示されている画像が動画又は静止画であるかを判定し、動画又は静止画に最適な画像処理、特に静止画のコントラストを向上させて高画質な静止画像を得る画像処理を行う画像表示装置、プロジェクタ、プログラム及び記憶媒体を提供すること。【解決手段】比較するフレーム間における画像の輝度分布の変化量を算出する輝度分布変化量算出部１０１と、輝度分布の変化量に基づいて前記画像が動画及び静止画の何れかの画像であるかを判定する動画静止画判定部１０２と、動画静止画判定部１０２の判定結果に基づいて所定の階調補正処理を行う階調補正処理部１０３と、階調補正処理された画像を表示する表示部１０４とを有する。【選択図】　　　図１
2004032207.tif 000002
【特許請求の範囲】
【請求項１】
比較するフレーム間における画像の輝度分布の変化量を算出する輝度分布変化量算出部と、
前記変化量に基づいて所定の階調補正処理を行う階調補正処理部と、
前記階調補正処理された画像を表示する表示部とを有することを特徴とする画像表示装置。
【請求項２】
前記輝度分布変化量算出部は、一定のシーンの表示時間を複数のシーンについて総和する総和算出部と、前記複数のシーンの数を前記総和した値で除した値を算出する頻度算出部とからなることを特徴とする請求項１に記載の画像表示装置。
【請求項３】
前記輝度分布変化量算出部は、１フレーム時間あたりの輝度分布の変化量を算出することを特徴とする請求項１に記載の画像表示装置。
【請求項４】
前記階調補正処理部は、シーンの変化に同期して、前記所定の階調補正処理を行うことを特徴とする請求項１に記載の画像表示装置。
【請求項５】
前記階調補正処理部は、前記輝度分布の変化量に基づいて段階的に前記所定の階調補正処理を行うことを特徴とする請求項１に記載の画像表示装置。
【請求項６】
光源光を供給する光源部と、
画像信号に応じて前記光源部からの光を変調する空間変調素子と、
前記空間変調素子からの画像を表示する請求項１乃至５の何れか一項に記載の画像表示装置と、
前記表示された画像を投写する投写レンズとを有することを特徴とするプロジェクタ。
【請求項７】
階調補正された画像を表示する画像表示装置用のプログラムであり、コンピュータにより読み取り可能なプログラムであって、
比較するフレーム間における画像の輝度分布の変化量を算出する輝度分布変化量算出手段と、
前記輝度分布の変化量に基づいて所定の階調補正処理を行う階調補正処理手段と、
前記画像処理された画像を表示する表示手段としてコンピュータを機能させることを特徴とするプログラム。
【請求項８】
コンピュータにより読み取り可能な情報記憶媒体であって、請求項７に記載のプログラムを記憶したことを特徴とする情報記憶媒体。
【発明の詳細な説明】
【０００１】
【発明の属する技術分野】
本発明は、画像表示装置、プロジェクタ、プログラム及び記憶媒体に関し、詳細には表示される画像のコントラストを向上させるための階調補正、いわゆる白黒伸長処理の技術に関する。
【０００２】
【従来の技術】
液晶プロジェクタをはじめとする画像表示装置において、高コントラストな画像を得る方法が従来知られている。例えば、特許公報第２９３６７９１号公報等に、画像の平均輝度を中心にして、輝度分布に応じてコントラスト特性曲線の傾きを変えること、即ち適応的に階調補正すること（適応型階調補正）が提案されている。
【０００３】
【発明が解決しようとする課題】
しかしながら、基本的には画像ごとに階調補正特性が異なる。従って、上記適応型階調補正を行う場合、画像ごとに明るさが変化してしまう。特に、画像が連続的に変化する動画の場合、不自然な輝度変動が発生するおそれがある。このため、一般的に動画では顕著な階調補正は行いにくい。一方、静止画の場合、表示されている画像が一定であるか、又は画像の切り替わりがあっても数秒〜数十秒以上の時間間隔がある。このことから、静止画では、コントラストをより高める階調補正を行っても、上述のような不自然な輝度変動は生じにくい。
【０００４】
また、近年のプロジェクタに代表される大型ディスプレイは、インフォメーション表示やプレゼンテーション用途に使用される場合も多い。この場合、動画像のみならず、静止画像の自然画等を表示することが多い。そして、静止画像は、観察者にじっくりと観察されるため高コントラストであることが望ましい。
【０００５】
このように、動画ではコントラストを高める階調補正を行いにくいのに対し、静止画では容易にコントラストを高める階調補正を行うことができる。従って、静止画に好適な階調補正特性と、動画に好適な階調補正特性とが異なる。このため、静止画と動画とにそれぞれ好適な階調補正を行うことは困難であり問題である。
【０００６】
本発明は、上記問題に鑑みてなされたものであり、表示されている画像が動画又は静止画であるかを判定し、動画又は静止画に最適な画像処理、特に静止画のコントラストを向上させて高画質な静止画像を得る画像処理を行う画像表示装置、プロジェクタ、プログラム及び記憶媒体を提供することを目的とする。
【０００７】
【課題を解決するための手段】
上記課題を解決し、その目的を達成するために、本発明は、比較するフレーム間における画像の輝度分布の変化量を算出する輝度分布変化量算出部と、前記変化量に基づいて所定の階調補正処理を行う階調補正処理部と、前記階調補正処理された画像を表示する表示部とを有することを特徴とする画像表示装置を提供する。これにより、動画又は静止画に最適な画像処理を行い、特に静止画のコントラストを向上させて高画質な静止画像を得ることができる。
【０００８】
また、本発明の好ましい態様によれば、前記輝度分布変化量算出部は、一定のシーンの表示時間を複数のシーンについて総和する総和算出部と、前記複数のシーンの数を前記総和した値で除した値を算出する頻度算出部とからなることが望ましい。これにより、輝度分布変化の頻度に基づいて動画、静止画の判定を正確に行うことができる。
【０００９】
また、本発明の好ましい態様によれば、前記輝度分布変化量算出部は、１フレーム時間あたりの輝度分布の変化量を算出することが望ましい。これにより、輝度分布変化量に基づいて動画、静止画の判定を正確に行うことができる。
【００１０】
また、本発明の好ましい態様によれば、前記階調補正処理部は、シーンの変化に同期して、前記所定の階調補正処理を行うことが望ましい。これにより、階調補正の特性を切り換えた際の、輝度変化を低減できる。
【００１１】
また、本発明の好ましい態様によれば、前記階調補正処理部は、前記輝度分布の変化量に基づいて段階的に前記所定の階調補正処理を行うことが望ましい。これにより、さらに自然な階調補正処理を行うことができる。
【００１２】
また、本発明によれば、光源光を供給する光源部と、画像信号に応じて前記光源部からの光を変調する空間変調素子と、前記空間変調素子からの画像を表示する上記の画像表示装置と、前記画像処理された画像を投写する投写レンズとを有することを特徴とするプロジェクタを提供できる。これにより、スクリーンに投写された動画又は静止画に最適な画像処理、特に静止画のコントラストを向上させて高画質な静止画像を得ることができる。
【００１３】
また、本発明によれば、階調補正された画像を表示する画像表示装置用のプログラムであり、コンピュータにより読み取り可能なプログラムであって、比較するフレーム間における画像の輝度分布の変化量を算出する輝度分布変化量算出手段と、前記輝度分布の変化量に基づいて所定の階調補正処理を行う階調補正処理手段と、前記画像処理された画像を表示する表示手段としてコンピュータを機能させることを特徴とするプログラムを提供する。これにより、動画又は静止画に最適な画像処理を行い、特に静止画のコントラストを向上させて高画質な静止画像を得ることができる。
【００１４】
また、本発明によれば、コンピュータにより読み取り可能な情報記憶媒体であって、上記のプログラムを記憶したことを特徴とする情報記憶媒体を提供する。これにより、コンピュータに上述のプログラムを簡便に実行させることができる。
【００１５】
【発明の実施の形態】
以下に添付図面を参照して、本発明の好適な実施形態を詳細に説明する。
（第１実施形態）
図１は、本発明の第１実施形態に係る画像表示装置１００の概略構成を示す図である。不図示の画像信号入力部からは、赤色（Ｒ）、緑色（Ｇ）、青色（Ｂ）に分解された画像の信号が入力される。輝度分布変化量算出部１０１は、比較するフレーム間における画像の輝度分布の変化量を算出する。動画静止画判定部１０２は、前記輝度分布の変化量に基づいて前記画像が動画及び静止画の何れかの画像であるかを判定する。階調補正処理部１０３は、動画静止画判定部１０２の判定結果に基づいて所定の階調補正処理を行う。表示部１０４は、階調補正処理された画像を表示する。
【００１６】
図２（ａ）は、階調補正特性の例を示す図である。横軸は入力輝度信号値を示し、本実施形態では、０から２５５までの値を取る。また縦軸は出力輝度信号値を示し、同様に０から２５５までの値を取る。また、１つのフレームの全ての画素の輝度信号値を平均した値を画像平均輝度（Ａｖｅｒａｇｅ　ＰｉｃｔｕｒｅＬｅｖｅｌ）とし、それをＬｍｉｄで表す。画像表示装置１００は、この画像平均輝度Ｌｍｉｄを中心として階調補正を行う。図２（ａ）では、破線で示す補正前の特性曲線Ａが、実線で示す補正後の特性曲線Ｂに変換される。出力輝度信号値をＬｏｕｔ、入力輝度信号値をＬｉｎとすると、特性曲線Ａは、Ｌｏｕｔ＝Ｌｉｎで表され、特性曲線Ｂは、Ｌｏｕｔ＝Ｋ・（Ｌｉｎ−Ｌｍｉｄ）＋Ｌｍｉｄで表される。この式からわかるように特性曲線Ｂは、係数Ｋを傾きとする直線である。この係数Ｋは、後述するように、シーンチェンジの頻度または輝度分布の変化量に応じて求まる。特性曲線Ｂで表される階調補正処理を画像に施すと、特性曲線Ａと比べて、画像の黒い表示の部分がさらに黒く（黒伸長）なり、白い表示の部分はさらに白く（白伸長）なる。このため、画像のダイナミックレンジが広がり、高コントラストな画像を得ることができる。ところで、図２（ａ）では、階調補正後の特性曲線Ｂの傾きＫ（係数Ｋ）は、画像平均輝度の黒側と白側で同一である。しかしながらこれに限られず、係数Ｋがシーンチェンジの頻度または輝度分布の変化量に応じて求まるのであれば、黒側と白側の傾きＫ（係数Ｋ）を異ならせても良い。
【００１７】
図２（ｂ）は、階調補正処理部１０３の構成を説明する図である。階調補正処理部１０３は、例えばＲＧＢ信号のうちのＲに対応するＲ画像信号Ｒｉｎに対して、入力輝度信号値毎に定められる値である伸長倍率αをかけて階調補正を行う。そして、階調補正されたＲ画像信号はＲｏｕｔとして出力される。つまり、階調補正処理部は、Ｒｏｕｔ＝α・Ｒｉｎの演算を行う。階調補正処理部１０３は、Ｇ画像信号ＧｉｎおよびＢ画像信号Ｂｉｎも同様に処理する。ここで、αと入力・出力輝度信号値との関係は以下の通りである。
α＝｛Ｋ・（Ｌｉｎ−Ｌｍｉｄ）＋Ｌｍｉｄ｝／Ｌｉｎ＝Ｌｏｕｔ／Ｌｉｎ
ここで、Ｌｉｎは、入力されたＲ、Ｇ、Ｂ信号値によって決まる輝度値であり、例えば、Ｌｉｎ＝（Ｒｉｎ＋Ｇｉｎ＋Ｂｉｎ）／３で求まる。
【００１８】
本実施形態では、動画、静止画の判定の基準となる値として、画像の輝度分布の変化量を用いる。この変化量として、輝度分布変化の頻度ｆｒｅｑと、１フレームあたりの輝度分布の変化量Ｓとのいずれかのパラメータを用いることができる。まず、画像の輝度分布変化の頻度ｆｒｅｑを用いて動画、静止画の判定をする手順について説明する。
【００１９】
輝度分布変化の頻度ｆｒｅｑを算出するためには、輝度分布変化（以下、「シーンチェンジ」という）を予め判定する必要がある。図３（ａ）、（ｂ）、（ｃ）に基づいてシーンチェンジの判定について説明する。図３（ａ）、（ｂ）、（ｃ）は、横軸には輝度レベルｋを、縦軸には画素数をとって、輝度分布の形状を示す図（以下、「輝度分布ヒストグラム」という。）である。図３（ａ）は、比較する２つのフレームのうち、１つ前のフレームａ−１の輝度分布ヒストグラムＨａ−１（ｋ）である。図３（ｂ）は、フレームａ−１に続くフレームａの輝度分布ヒストグラムＨａ（ｋ）である。図３（ｃ）は、フレームａ−１とフレームａとの差分の絶対値の輝度分布ヒストグラムである。そして、次式（１）に基づいて、シーンチェンジ検出基準値βを算出する。
【００２０】
【数１】
2004032207.tif 000003
【００２１】
ここで、
Ｈａ−１：１つ前のフレームａ−１の輝度分布ヒストグラム；
Ｈａ：フレームａの輝度分布ヒストグラム；
β：シーンチェンジ検出基準値．
【００２２】
次に、輝度分布変化量検出部１０１は、シーンチェンジ検出基準値βと、所定の閾値ｔｈとを比較する。そして、β＞ｔｈの場合に、シーンチェンジが有ると判定する。次に、輝度分布算出部１０１は、次式（２）に基づいて過去ｍ回分の輝度分布変化の頻度ｆｒｅｑを算出する。頻度ｆｒｅｑの単位は、１／ｓｅｃ又は１／ｆｒａｍｅである。
【００２３】
【数２】
2004032207.tif 000004
【００２４】
図４は、輝度分布変化の頻度ｆｒｅｑの概念を説明する図である。横軸は時間又はフレーム数を示す。後述する手順により、所定の時間Ｔａｌｌの範囲において、時刻ＴＴｉ−ｍ＋１、ＴＴｉ−２、ＴＴｉ−１、ＴＴｉの時にシーンチェンジしたと判定される場合を考える。そして、シーンチェンジの時間間隔がそれぞれ間隔ｔｉ−ｍ＋１、ｔｉ−２、ｔｉ−１、ｔｉである。頻度ｆｒｅｑの値が小さくなればなるほど、シーンチェンジの時間間隔が長くなる。この場合は、画像の動きの少ない静止画の状態が継続している状態である。
【００２５】
図５は、上記式（２）で算出された輝度分布変化の頻度ｆｒｅｑに基づいて、階調補正する手順を示すフローチャートである。ステップＳ５０１において、タイマー値がゼロにリセットされる。ステップＳ５０２において、輝度分布変化量算出部１０１は、上記式（１）に従ってシーンチェンジ検出基準値βを算出する。ステップＳ５０３において、動画静止画判定部１０２により、シーンチェンジ検出基準値βが所定の閾値ｔｈよりも大きいか否かが判断される。判断結果が偽の場合、ステップＳ５０２へ戻り、さらに次のフレームに対するシーンチェンジ検出基準値βが算出される。判断結果が真の場合、ステップＳ５０４へ進む。ステップＳ５０４において、パラメータｔにタイマー値を代入する。ステップＳ５０５において、ｍ個の配列メモリ｛Ｔ（ｍ−１）、Ｔ（ｍ−２）、・・・Ｔ（０）｝に対して、最新のｍ回分のタイマー値を代入する。次に、ステップＳ５０６において、上式（２）に基づいて輝度分布変化の頻度ｆｒｅｑが算出される。本実施の形態では、シーンチェンジとシーンチェンジとの間の期間を一定のシーン期間と呼ぶ。１つのシーン期間には、少なくとも１つのフレーム期間が含まれる。本実施の形態によれば、所定回数のシーンチェンジが生じるのに必要な時間間隔を求めることで、頻度ｆｒｅｑが算出される。
【００２６】
ステップＳ５０７において、階調補正値である伸長倍率αを算出する。図７（ａ）は、頻度ｆｒｅｑと伸長倍率αとの関係を示す階調補正特性図である。上述のように、頻度ｆｒｅｑの値が小さくなればなるほど、シーンチェンジの時間間隔が長くなる。この場合は、画像の動きの少ない静止画が継続している状態である。このため、図７（ａ）に示すように、頻度ｆｒｅｑの値が小さくなればなるほど係数Ｋを大きくする。逆に、頻度ｆｒｅｑの値が大きくなればなるほど係数Ｋを小さくする。頻度ｆｒｅｑの値の増大にあわせて、係数Ｋを１に近づけてもよい。この階調補正特性図に従って、頻度ｆｒｅｑに最適な伸長倍率αを求める。そして、階調補正処理部１０３は、伸長倍率αに基づいて階調補正を行う。
【００２７】
ステップＳ５０８において、階調補正が終了したか否かが判断される。判断結果が真の場合、一連の処理は終了する。例えば、ユーザが階調補正のＯＦＦを設定した場合、画像表示装置１へ入力される信号が切り換わる場合、画像表示装置１の電源がＯＦＦされる場合などである。これに対して、ステップＳ５０８の判断結果が偽の場合、ステップＳ５０１へ戻り、上述の手順を繰り返す。
【００２８】
また、好ましくは、階調補正処理部１０３は、前記シーンチェンジが生じた時ＴＴｉ−ｍ＋１、ＴＴｉ−２、ＴＴｉ−１、ＴＴｉに同期して、階調補正処理を行うことが望ましい。これにより、階調補正の特性（係数Ｋ）を切り換える際の輝度変化を低減できる。
【００２９】
また、好ましくは、階調補正処理部１０３は、輝度分布変化の頻度ｆｒｅｑに基づいて段階的に階調補正処理を行うことが望ましい。例えば、伸長倍率αを切り換えるときに、段階的に、３０〜６０段階くらいに伸長倍率αを分けて徐々に切り換えることが望ましい。１フレーム期間が１／６０秒とした場合、３０〜６０段階に分けると、０．５〜１．０秒程度の伸長倍率αの変化となる。これにより、より自然な階調補正処理を行うことができる。
【００３０】
また、本実施形態では、所定の時間Ｔａｌｌ（図４）を、例えば３０秒から数分の間で選択することが望ましい。この時間Ｔａｌｌを長くすることで、より正確なシーンチェンジ判定を行うことができる。
【００３１】
次に、画像の輝度分布変化量Ｓを用いて動画、静止画の判定をする手順について説明する。画像の輝度分布変化量Ｓは、上述したシーンチェンジ検出基準値βに基づいて次式（３）により算出する。
【００３２】
【数３】
2004032207.tif 000005
【００３３】
ここで、Ｌは、比較しているフレームの数を示している。輝度分布変化量Ｓは、１フレーム時間あたりの輝度分布変化量に対応している。次に、図６は、上記式（３）で算出された輝度分布変化量Ｓに基づいて、階調補正する手順を示すフローチャートである。ステップＳ６０１において、輝度分布変化量算出部１０１は、上記式（１）に基づいてシーンチェンジ検出基準値βを算出する。ステップＳ６０２において、配列ＢにＬ個の最新の輝度分布変化量βを代入する。次に、ステップＳ６０３において、上記式（３）に基づいて輝度分布変化量Ｓが算出される。そして、ステップＳ６０４において、階調補正値である係数Ｋを算出する。図７（ｂ）は、変化量Ｓと係数Ｋとの関係を示す階調補正特性図である。輝度分布変化量Ｓの値が小さくなればなるほど、シーンチェンジの時間間隔が長くなる。この場合は、画像の動きの少ない静止画が継続している状態である。このため、図７（ｂ）に示すように、輝度分布変化量Ｓの値が小さくなればなるほど係数Ｋを大きくする。逆に、輝度分布変化量Ｓの値が大きくなればなるほど係数Ｋを小さくする。輝度分布変化量Ｓの値の増大にあわせて、係数Ｋを１に近づけてもよい。この階調補正特性図に従って、変化量Ｓに最適な伸長倍率αを求める。そして、階調補正処理部１０３は、伸長倍率αに基づいて階調補正を行う。
【００３４】
ステップＳ６０５において、階調補正が終了したか否かが判断される。判断結果が真の場合、一連の処理は終了する。例えば、ユーザが階調補正のＯＦＦを設定した場合、画像表示装置１へ入力される信号が切り換わる場合、画像表示装置１の電源がＯＦＦされる場合などである。これに対して、ステップＳ６０５の判断結果が偽の場合、ステップＳ６０１へ戻り、上述の手順を繰り返す。
【００３５】
上述の手順においては、輝度分布ヒストグラムはバッファに保持しておけば良い。また、輝度分布ヒストグラムは、画像の位置情報を含んでいないためデータ容量が小さいという利点を有する。従来、画像の動きを検出するためには、例えば公知のブロックパターンマッチング法等を使用する。ブロックパターンマッチング法では、画像情報を記憶しておくためにフレームメモリを要する。このため、非常に大きい記憶容量が必要となってしまう。これに対して、本実施形態では、動き検出ではなく、輝度分布変化量の頻度ｆｒｅｑや輝度分布変化量Ｓにより動画、静止画の判定を行っている。このため、少ないデータ容量で迅速、確実に上記判定を行うことができる。
【００３６】
図８は、画像表示装置１００内の階調補正処理を行うハードウエアのブロック図である。図８に示すハードウエアでは、ＣＰＵ８００、ＲＯＭ８０２、ＲＡＭ８０４、情報記憶媒体８０６、画像生成ＩＣ８１０、Ｉ／Ｏ（入出力ポート）８２０がシステムバス８１６により相互にデータ送受信可能に接続されている。そして、Ｉ／Ｏ８２０を介してコンピュータ等の機器に接続されている。
【００３７】
そして、上記ハードウエアのためのプログラムとして、階調補正された画像を表示する画像表示装置用のプログラムであり、コンピュータにより読み取り可能なプログラムであって、比較するフレーム間における画像の輝度分布の変化量を算出する輝度分布変化量算出手段と、前記輝度分布の変化量に基づいて所定の階調補正処理を行う階調補正処理手段と、前記画像処理された画像を表示する表示手段としてコンピュータを機能させることを特徴とするプログラムを用いることが望ましい。
【００３８】
図１に示した画像信号入力部の機能は、例えばＲＡＭ８０４を用いて実現できる。輝度分布変化量検出部１０１、動画静止画判定部１０２、階調補正処理部１０３の機能は、例えば、ＣＰＵ８００と画像生成ＩＣ８１０とＲＡＭ８０４とを用いて実現できる。
【００３９】
なお、輝度分布変化量検出部１０１、動画静止画判定部１０２、階調補正処理部１０３の機能を情報記憶媒体８０６からコンピュータにプログラムを読み取らせて実現することも可能である。また、情報記憶媒体８０６としては、例えば、フレキシブルディスク、ＣＤ−ＲＯＭ、光磁気ディスク、ＩＣカード、ＲＯＭカートリッジ、パンチカードやバーコード等の符号が印刷された印刷物、コンピュータの内部記憶装置（ＲＡＭやＲＯＭ等のメモリ）及び外部記憶装置等、コンピュータによって読み取ることができる種々の媒体を用いることができる。そのプログラムの読み取り方式は接触方式であっても、非接触方式であっても良い。
【００４０】
また、情報記憶媒体８０６に代えて、上述した各機能を実現するためにプログラムを、伝送路を介してホスト装置等からダウンロードすることによって上述した各機能を実現することも可能である。
【００４１】
（第２実施形態）
図９は、本発明の第２実施形態に係るプロジェクタ９００の概略構成を示す図である。本体部９１０は、照明光を供給する光源部９０１と、画像信号に応じて前記光源部からの光を変調する空間変調素子９０２と、空間変調素子からの画像を表示する上記第１実施形態に記載の画像表示装置１００とを備えている。そして、投写レンズ系９２０は、変調された映像をスクリーン９３０上に拡大して投写する。
【００４２】
また、本発明は、液晶プロジェクタ、ティルト・ミラー・デバイスを用いる画像表示装置、ＣＲＴ、ＬＣＤ、有機ＥＬ、プラズマディスプレイ、ＬＥＤディスプレイ等をはじめあらゆる方式の画像表示装置にも適用可能である。
【００４３】
【発明の効果】
以上説明したように、本発明によれば、表示されている画像が動画又は静止画であるかを判定し、動画又は静止画に最適な画像処理、特に静止画のコントラストを向上させて高画質な静止画像を得る画像処理を行う画像表示装置、プロジェクタ、プログラム及び記憶媒体を提供することができる。
【図面の簡単な説明】
【図１】本発明の第１実施形態に係る画像表示装置の概略構成を示す図である。
【図２】（ａ）は階調補正特性を示す図、（ｂ）は上記第１実施形態における階調補正処理部の構成示す図である。
【図３】（ａ）〜（ｃ）は輝度分布ヒストグラムである。
【図４】輝度分布変化の頻度の概念を説明する図である。
【図５】輝度分布変化の頻度に基づいて階調補正処理を行う手順を示すフローチャートである。
【図６】輝度分布変化量に基づいて階調補正処理を行う手順を示すフローチャートである。
【図７】（ａ）、（ｂ）はそれぞれ階調補正特性を示す図である。
【図８】上記第１実施形態に係る画像表示装置のブロック図である。
【図９】本発明の第２実施形態に係るプロジェクタの概略構成を示す図である。
【符号の説明】
１００　　画像表示装置
１０１　　輝度分布変化量算出部
１０２　　動画静止画判定部
１０３　　階調補正処理部
１０４　　表示部
８００　　ＣＰＵ
８０２　　ＲＯＭ
８０４　　ＲＡＭ
８０６　　情報記憶媒体
８１０　　画像生成ＩＣ
８１６　　システムバス
８２０　　Ｉ／Ｏ
９００　　プロジェクタ
９１０　　本体部
９２０　　投写レンズ系
９３０　　スクリーン
【図１】
2004032207.tif 000006
【図２】
2004032207.tif 000007
【図３】
2004032207.tif 000008
【図４】
2004032207.tif 000009
【図５】
2004032207.tif 000010
【図６】
2004032207.tif 000011
【図７】
2004032207.tif 000012
【図８】
2004032207.tif 000013
【図９】
2004032207.tif 000014